(57)【要約】【課題】  雌ねじ部に付着した付着物を容易に除去可能なねじ穴清掃具を提供する。【解決手段】  ねじ穴清掃具１は、金属にて構成された棒状の本体部２に設けられ、雌ねじ部に噛み合うねじ山３Ａを有する雄ねじ状のタップ部３と、本体部２のうちタップ部３より先端側に設けられた導入部５であって、雌ねじ部の谷径寸法より小さい外径寸法で構成された円筒状の導入部５と、本体部２のうち導入部５とタップ部３との間に設けられた徐変部７であって、導入部５から離間してタップ部３に近づくほど外径寸法が漸次大きくなる徐変部７とを備え、少なくともタップ部３には、ねじ山３Ａの尾根方向と交差する方向に延びる少なくとも１本の溝部９が設けられている。【選択図】図１
0003226856.tif 000002
【実用新案登録請求の範囲】
【請求項１】
ねじ穴の雌ねじ部に付着した付着物を除去するねじ穴清掃具において、
金属にて構成された棒状の本体部に設けられ、前記雌ねじ部に噛み合うねじ山を有する雄ねじ状のタップ部と、
前記本体部のうち前記タップ部より先端側に設けられた導入部であって、前記雌ねじ部の谷径寸法より小さい外径寸法で構成された円周面を有する導入部と、
前記本体部のうち前記導入部と前記タップ部との間に設けられた徐変部であって、前記導入部から離間して前記タップ部に近づくほど外径寸法が漸次大きくなる徐変部とを備え、
少なくとも前記タップ部には、前記ねじ山の尾根方向と交差する方向に延びる少なくとも１本の溝部が設けられていることを特徴とするねじ穴清掃具。
【請求項２】
前記タップ部の「回転の向き」であって、前記雌ねじ部に前記タップ部が噛み合った場合において前記導入部が前記ねじ穴の底側に向けて移動する場合の「回転の向き」を「締め込みの向き」とし、
前記本体部の長手方向と直交する仮想面に投影された前記ねじ山の尾根と当該仮想面に投影された前記溝部の側壁とのなす角を「切込角」としたとき、
前記「締め込みの向き」側の前記「切込角」は鋭角であることを特徴とする請求項１に記載のねじ穴清掃具。
【請求項３】
複数本の前記溝部が設けられており、
複数本の前記溝部は、前記本体部の円周方向において等間隔で設けられていることを特徴とする請求項１又は２に記載のねじ穴清掃具。
【請求項４】
前記タップ部のねじ山数は２以上であることを特徴とする請求項１ないし３のいずれか１項に記載のねじ穴清掃具。
【考案の詳細な説明】
【技術分野】
【０００１】
本考案は、ねじ穴の雌ねじ部に付着した付着物を除去するねじ穴清掃具に関する。
【背景技術】
【０００２】
例えば、特許文献１に記載のねじ穴清掃具は、ねじ穴内にブラシを挿入し、当該ブラシを回転させることにより、雌ねじ部に付着した付着物を除去する。なお、付着物とは、例えば、ねじ穴に侵入した異物や雌ねじ部に発生した錆等をいう。
【先行技術文献】
【特許文献】
【０００３】
【特許文献１】特開平１０−１５５０５号公報
【考案の概要】
【考案が解決しようとする課題】
【０００４】
特許文献１に記載の考案では、ブラシにて雌ねじ部に付着した付着物を除去するので、錆等の付着物が雌ねじ部に強固に付着している場合には、当該付着物を除去することが難しい場合がある。
【０００５】
本考案は、上記点に鑑み、雌ねじ部に付着した付着物を容易に除去可能なねじ穴清掃具を提供することを目的とする。
【課題を解決するための手段】
【０００６】
本願では、金属にて構成された棒状の本体部（２）に設けられ、雌ねじ部に噛み合うねじ山（３Ａ）を有する雄ねじ状のタップ部（３）と、本体部（２）のうちタップ部（３）より先端側に設けられた導入部（５）であって、雌ねじ部の谷径寸法より小さい外径寸法で構成された円周面を有する導入部（５）と、本体部（２）のうち導入部（５）とタップ部（３）との間に設けられた徐変部（７）であって、導入部（５）から離間してタップ部（３）に近づくほど外径寸法が漸次大きくなる徐変部（７）とを備え、少なくともタップ部（３）には、ねじ山（３Ａ）の尾根方向と交差する方向に延びる少なくとも１本の溝部（９）が設けられている。
【０００７】
したがって、本願に係るねじ穴清掃具では、タップ部（３）が雌ねじ部に噛み合った状態で回転すると、雌ねじ部に付着した付着物は、タップ部（３）のねじ山（３Ａ）によって掻き落とされる。
【０００８】
ねじ山（３Ａ）はブラシの植毛に比べて十分に大きい剛性を有するので、タップ部（３）が雌ねじ部に噛み合った状態で回転する際に、ねじ山（３Ａ）がブラシの植毛のように大きく変形することはない。このため、付着物が確実に掻き落とされるとともに、掻き落とされた付着物は、タップ部（３）の回転とともに溝部（９）側に移動して溝部（９）に排出される。
【０００９】
さらに、本願に係るねじ穴清掃具では、タップ部（３）より先端側に導入部（５）が設けられ、かつ、導入部（５）からタップ部（３）に至る部位に徐変部（７）が設けられている。このため、本願に係るねじ穴清掃具をねじ穴に挿入した状態で回転させると、雌ねじ部の損傷を抑制しながらタップ部（３）を雌ねじ部に誘導でき得る。
【００１０】
すなわち、例えば、ねじ穴清掃具の軸線方向がねじ穴の軸線方向に対して傾斜した状態
のまま当該ねじ穴清掃具を回転させると、雌ねじ部とタップ部（３）とが不整合状態のまま噛み合ってしまい、雌ねじ部が損傷してしまうおそれがある。
【００１１】
これに対して、本願に係るねじ穴清掃具では、導入部（５）及び徐変部（７）がタップ部（３）を雌ねじ部に導く案内部として機能するので、タップ部（３）は、雌ねじ部を大きく傷付けることなく雌ねじ部に誘導される。
【００１２】
なお、仮に、導入部（５）及び徐変部（７）が設けられていない場合には、ねじ穴清掃具の軸線方向とねじ穴の軸線方向と一致させた状態でねじ穴清掃具を回転挿入する必要があるので、付着物除去作業の作業性が低下する。
【００１３】
以上のように、本願に係るねじ穴清掃具では、雌ねじ部に付着した付着物を容易に除去することが可能となる。
因みに、上記各括弧内の符号は、後述する実施形態に記載の具体的構成等との対応関係を示す一例であり、本考案は上記括弧内の符号に示された具体的構成等に限定されるものではない。
【図面の簡単な説明】
【００１４】
【図１】本考案の実施形態に係るねじ穴清掃具１の正面図である。
【図２】図１のＡ矢視図である。
【図３】本考案の実施形態に係るねじ穴清掃具１の使用方法の説明図である。
【考案を実施するための形態】
【００１５】
以下に説明する「考案の実施形態」は、本願考案の技術的範囲に属する実施形態の一例を示すものである。つまり、実用新案登録請求の範囲に記載された考案特定事項等は、下記の実施形態に示された具体的構成や構造等に限定されるものではない。
【００１６】
以下、本考案の実施形態を図面と共に説明する。なお、各図に付された方向を示す矢印等は、各図相互の関係を理解し易くするために記載したものである。本考案は、各図に付された方向に限定されるものではない。
【００１７】
少なくとも符号を付して説明した部材又は部位は、「複数」や「２つ以上」等の断りをした場合を除き、少なくとも１つ設けられている。
（第１実施形態）
本実施形態は、鉄道用レール及び道床等の保線作業時に用いるねじ穴清掃具に本考案を適用したものである。当該ねじ穴清掃具は、ねじ穴の雌ねじ部に付着した付着物を除去する工具である。
【００１８】
１．ねじ穴清掃具の形状
本実施形態に係るねじ穴清掃具１では、図１に示すように、タップ部３、導入部５、徐変部７及び溝部９（図２Ａ参照）が本体部２に設けられている。本体部２は、高速度工具鋼等の金属にて構成された棒状の部材である。
【００１９】
タップ部３はねじ山３Ａを有する雄ねじ状の部位である。ねじ山３Ａは、清掃対象となる「ねじ穴の雌ねじ部」に噛み合い可能な螺旋状の突条である。本実施形態に係るタップ部３のねじ山数は２以上である。
【００２０】
なお、清掃機能を得るには、少なくとも１つのねじ山があれば十分である。しかし、本実施形態では、確実な清掃機能を得るべく、タップ部３のねじ山数を２〜３としている。
因みに、ねじ山３Ａの尾根は、つるまき状の螺旋を描くので、本体部２の外周全域に亘
って、少なくとも１つのねじ山３Ａを確保するには、タップ部３の特定箇所においては、２以上のねじ山３Ａが存在する。
【００２１】
導入部５は、本体部２のうちタップ部３より先端側（紙面左側）に設けられている。なお、本実施形態に係る導入部５は、本体部２先端から徐変部７まで領域に設けられている。
【００２２】
導入部５は、雌ねじ部の谷径寸法、つまりタップ部３の山径寸法Ｄ２より小さい外径寸法Ｄ１で構成された円周面５Ａを有する部位である。なお、本実施形態に係る導入部５の外径寸法Ｄ１は、タップ部３の谷径寸法Ｄ３以下の寸法である。
【００２３】
徐変部７は、本体部２のうち導入部５とタップ部３との間に設けられた部位であって、導入部５から離間してタップ部３に近づくほど外径寸法が漸次大きくなる略円錐状の部位である。
【００２４】
溝部９は、少なくともタップ部３に少なくとも１つ設けられている。当該溝部９は、ねじ山３Ａの尾根方向と交差する方向に延びている。具体的には、当該溝部９は、本体部２の長手方向に沿って当該本体部２の先端からタップ部３を越えてシャンク部１１まで直線状に延びている。
【００２５】
シャンク部１１とは、ねじ穴清掃具１を把持固定するための部位である。当該シャンク部１１には、二面幅部等の回止部１１Ａが設けられている。
本実施形態に係るねじ穴清掃具１では、図２Ａに示すように、溝部９は２以上設けられている。それらの溝部９は、本体部２の円周方向において等間隔で設けられている。なお、本実施形態では、４本の溝部９が９０度間隔で設けられている。
【００２６】
本実施形態では、図２Ｂに示すように、「締め込みの向き」側の「切込角θ」が鋭角となっている。「切込角θ」とは、図２Ｂに示すように、本体部２の長手方向と直交する仮想面に投影されたねじ山３Ａの尾根３Ｂと当該仮想面に投影された溝部９の側壁９Ａとのなす角をいう。
【００２７】
「締め込みの向き」とは、タップ部３の「回転の向き」であって、雌ねじ部にタップ部３が噛み合った場合において導入部５がねじ穴の底側に向けて移動する場合の「回転の向き」をいう。
【００２８】
なお、本実施形態に係るタップ部３は「右ねじ」であるので、「締め込みの向き」側の「切込角θ」とは、図２Ｂにおいては、尾根３Ｂの左端側角度となる。本実施形態では、「締め込みの向き」側の「切込角θ」は６０〜８０度度である。「締め込みの向き」と反対側の「切込角」は約９０度である。
【００２９】
因みに、本実施形態に係るねじ穴清掃具１は、ねじ切り用工具であるタップのねじ部に研磨加工を施して導入部５及び徐変部７を形成している。このため、本実施形態に係る徐変部７には、不完全ねじ雄ねじ状となっている。
【００３０】
また、本実施形態に係るねじ穴清掃具１は、本体部２の中心軸線Ｌｏ（図１参照）に対して回転対称である。具体的には、中心軸線Ｌｏを回転中心線としてねじ穴清掃具１が９０度回転した場合、回転する前後において図１のＡ矢視図及び図１のＢ矢視図が一致する。
【００３１】
つまり、本実施形態に係るねじ穴清掃具１は４本の溝部９を有しているので、９０度毎
の４回対称となる形状である。しかし、例えば、溝部９が１本の場合には、３６０度毎の１回対称となる形状となる。例えば、溝部９が３本の場合には、１２０度毎の３回対称となる形状となる。
【００３２】
２．ねじ穴清掃具の使用方法及び特徴
本実施形態に係るねじ穴清掃具１は、例えば以下のようにして使用する。
清掃を行う作業者は、ねじ穴清掃具１のシャンク部１１をハンドタップ用のハンドル又は電動ドライバ等に装着する。
【００３３】
次に、作業者は、導入部５の先端をねじ穴に挿入した状態で（図３参照）、ねじ穴清掃具１をねじ穴に向けて僅かに押しながら電動ドライバ等を操作してねじ穴清掃具１を回転させる。
【００３４】
なお、ねじ穴清掃具１を回転させる際には、ねじ穴清掃具１の中心軸線方向Ｌｏ（図３）とねじ穴の軸線方向Ｌ１（図３）とが一致することが望ましい。これは、ねじ穴清掃具１の中心軸線方向Ｌｏとねじ穴の軸線方向Ｌ１とが大きく交差した状態でねじ穴清掃具１を回転させると、雌ねじ部が大きく損傷してしまうからである。
【００３５】
しかし、本実施形態に係るねじ穴清掃具１では、タップ部３より先端側に導入部５が設けられ、かつ、導入部５からタップ部３に至る部位に徐変部７が設けられている。このため、本実施形態に係るねじ穴清掃具１をねじ穴に挿入した状態で回転させると、雌ねじ部の損傷を抑制しながらタップ部３を雌ねじ部に誘導することができる。
【００３６】
すなわち、本実施形態に係るねじ穴清掃具１では、導入部５及び徐変部７がタップ部３を雌ねじ部に導く案内部として機能するので、タップ部３は、雌ねじ部を大きく傷付けることなく雌ねじ部に誘導される。
【００３７】
そして、本実施形態に係るねじ穴清掃具１では、タップ部３が雌ねじ部に噛み合った状態で回転すると、雌ねじ部に付着した付着物は、タップ部３のねじ山３Ａによって掻き落とされる。
【００３８】
ねじ山３Ａはブラシの植毛に比べて十分に大きい剛性を有する。このため、タップ部３が雌ねじ部に噛み合った状態で回転する際に、ねじ山３Ａがブラシの植毛のように大きく変形することはない。したがって、付着物が確実に掻き落とされるとともに、掻き落とされた付着物は、タップ部３の回転とともに溝部９側に移動して溝部９に排出される。
【００３９】
本実施形態では、「締め込みの向き」側の「切込角θ」は鋭角であった。このため、本実施形態では、「切込角θ」側の角部が「ねじ切り用タップの切刃」の如く機能する。したがって、錆等の付着物が雌ねじ部に強固に付着している場合であっても、当該付着物を削り取るように掻き落とすことが可能となる。
【００４０】
（その他の実施形態）
上述の実施形態に係る導入部５は円柱状の円周面５Ａを有する部位であった。しかし、本考案はこれに限定されるものではなく、例えば、円錐テーパ状の円周面にて導入部５を構成してもよい。
【００４１】
上述の実施形態に係る導入部５は雄ねじが全く設けられていない円周面５Ａを有する部位であった。しかし、本考案はこれに限定されるものではなく、例えば、谷径寸法と山径寸法との差がタップ部３又は徐変部７より小さい雄ねじが形成されていてもよい。
【００４２】
上述の実施形態では、「締め込みの向き」側の「切込角θ」は鋭角であった。しかし、本考案はこれに限定されるものではなく、「締め込みの向き」側の「切込角θ」を９０度以上としてもよい。
【００４３】
上述の実施形態では、タップ部３のねじ山数は２であった。しかし、本考案はこれに限定されるものではなく、例えば、タップ部３のねじ山数を１又は３以上としてもよい。
上述の実施形態では、導入部５の外径寸法と徐変部７の最小外径寸法とが同一であった。しかし、本考案はこれに限定されるものではなく、例えば、徐変部７の最小外径寸法を導入部５の外径寸法未満としてもよい。
【００４４】
上述の実施形態では、徐変部７に不完全ねじ状のねじ山３Ａが設けられていた。しかし、本考案はこれに限定されるものではなく、例えば、単純な円錐テーパ面状としてもよい。
【００４５】
上述の実施形態に係る溝部９は、本体部２の先端からシャンク部１１まで直線状に延びる溝であった。しかし、本考案はこれに限定されるものではなく、例えばタップ部３のみに溝部９が１本又は複数設けられた構成、又はねじ山３Ａの尾根方向と交差するように螺旋状に湾曲した溝にて溝部９を構成してもよい。
【００４６】
上述の実施形態では、複数本の溝部９が本体部２の円周方向において等間隔で設けられていた。しかし、本考案はこれに限定されるものではなく、例えば、複数本の溝部９が本体部２の円周方向において不等間隔で設けられていてもよい。
【００４７】
上述の実施形態に係るねじ穴清掃具１は、ねじ切り用工具であるタップのねじ部に研磨加工を施して導入部５及び徐変部７を形成しねじ穴清掃具１を製造した。本考案はこれに限定されるものではなく、棒状の素材段階から導入部５、徐変部７及びタップ部３を直接的に形成してもよい。
【００４８】
また、本考案は、実用新案登録請求の範囲に記載された考案の趣旨に合致するものであればよく、上述の実施形態に限定されるものではない。
【符号の説明】
【００４９】
１… 穴清掃具  ２… 本体部  ３… タップ部  ３Ａ… ねじ山
３Ｂ… 尾根  ５… 導入部  ７… 徐変部  ９… 溝部  ９Ａ… 側壁
１１… シャンク部
【図１】
0003226856.tif 000003
【図２】
0003226856.tif 000004
【図３】
0003226856.tif 000005